(57)【特許請求の範囲】
【請求項１】
縦長でチャンネル状に形成された基枠体の上部と下部の内側に、軸受孔を持つ軸受部材を設けた第一部材と、縦長の取付板部の上部と下部の縁部に、該軸受孔に嵌合するピンを有する軸保持部を設けた第二部材とからなる着脱形の蝶番において、
該第一部材の該基枠体の中間部または該第二部材の該取付板部の中間部の何れか一方に、ばね弾性を有する金属板を波形に曲折した扉ストッパが弾性変形可能に取り付けられ、該扉ストッパと係合して扉を任意の開度で保持する係止部が、他方の該第二部材の該取付板部の対向位置にまたは第一部材の該基枠体の対向位置に設けられ、該扉ストッパの波形の凹部に該係止部を受けるための係止受け部が形成され、該係止部は、該第二部材の取付板部または該第一部材の基枠体の一部を凹状に切り欠いて或いは長孔状に開口して形成されたことを特徴とする蝶番。
【請求項２】
前記係止受け部は、前記扉ストッパのストッパ本体上に前記係止部の摺動方向に複数個並設されている請求項１記載の蝶番。
【発明の詳細な説明】
【０００１】
【発明の属する技術分野】
本発明は、扉を本体に対し開閉自在に支持する着脱形（ピン挿入形）の蝶番に関し、特に扉の開度を所定の位置で停止させる扉ストッパを備えた蝶番に関する。
【０００２】
【従来の技術】
従来、例えばスロットマシンの扉を開閉自在に支持する蝶番として、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした着脱形の蝶番が知られている（例えば特開平１０−２０１９２２号公報など参照）。
【０００３】
【発明が解決しようとする課題】
この蝶番は、縦長の固定部材の上部と下部に軸受部となる軸受孔を同一軸線上に設け、同様の縦長の可動部材の上部と下部にピンを同一軸線上に取り付けて構成されるため、例えば、その固定部材をスロットマシンの本体に固定し、可動部材をその前扉に固定した状態で、ピンを軸受孔に挿入するように蝶番を組み付ければ、重量の重い扉であっても、本体に対し扉を容易に且つ円滑に開閉可能に支持させることができる。
【０００４】
しかしながら、例えばスロットマシンの本体のように、その前面が鉛直面に対し、その下部を前方に出し、その上部を後方に引くように傾斜している場合、その前面に装着される扉の蝶番の回動軸も、鉛直軸に対し傾斜したものとなる。このため、その扉を開いた場合、その開度が９０度までの間においては、扉が重力により閉鎖方向の力を受け、自然に閉じてしまうという現象が生じる。
【０００５】
このため、スロットマシンの修理や点検を行う際に、扉を開いておきたい場合には、扉を９０度より僅かに超えて開いた状態として作業を行っていたが、何らかの外力が扉に作用して、扉の開度が９０度以下になった場合、扉が自然に閉じる状態となり、作業中に不用意に扉が閉じてしまうという危険が生じる虞があった。
【０００６】
本発明は、上記の点に鑑みてなされたもので、固定側と可動側の軸受部とピンを嵌め合わせて組み付ける着脱形の蝶番において、予め設定した任意の開度で、扉を静止させておくことができる蝶番を提供することを目的とする。
【０００７】
【課題を解決するための手段】
上記目的を達成するために本発明の蝶番は、縦長でチャンネル状に形成された基枠体の上部と下部の内側に、軸受孔を持つ軸受部材を設けた第一部材と、縦長の取付板部の上部と下部の縁部に、軸受孔に嵌合するピンを有する軸保持部を設けた第二部材とからなる着脱形の蝶番において、第一部材の基枠体の中間部または第二部材の取付板部の中間部の何れか一方に、ばね弾性を有する金属板を波形に曲折した扉ストッパが弾性変形可能に取り付けられ、扉ストッパと係合して扉を任意の開度で保持する係止部が、他方の第二部材の取付板部の対向位置にまたは第一部材の基枠体の対向位置に設けられ、扉ストッパの波形の凹部に係止部を受けるための係止受け部が形成され、係止部は、第二部材の取付板部または第一部材の基枠体の一部を凹状に切り欠いて或いは長孔状に開口して形成されたことを特徴とする。
【０００８】
ここで、上記係止受け部は、ストッパ本体上の係止部の摺動方向に複数個設けることができる。
【０００９】
【作用】
このように構成される蝶番は、第一部材を扉に可動部材として固定し、第二部材を本体に固定部材として固定するか、或はその逆に、第二部材を扉に可動部材として固定し、第一部材を本体に固定部材として固定して使用する。また、例えば、蝶番の第一部材を扉に可動部材として固定し、第二部材を本体に固定部材として固定した場合、第二部材の巻付部に設けたピンは上向きに固定され、そのピンに第一部材の軸受部材が上側から嵌入され、蝶番は組み付けられ、扉が本体に対し蝶番を介して開閉可能に取り付けられる。
【００１０】
例えば、扉側の第一部材に係止部を設け、本体側の第二部材に扉ストッパを弾性変形可能に設けた場合、本体に対し閉じた状態の扉を開くと、係止部が扉ストッパの係合面を摺動しながら回動し、扉ストッパの係止受け部に達した状態で、扉の開動作を止めると、係止部が扉ストッパの係止受け部に係止され、扉が重力などで自然に閉じる状態であっても、扉ストッパにより停止し、保持される。その状態から、扉を開き或いは閉じる場合は、扉を持って回動させると、扉ストッパが弾性変形して、係止部がその係止受け部を乗り越えて扉は回動する。
【００１１】
したがって、スロットマシンのように、傾斜した本体の前面に取り付けられる扉であって、開放された扉が重力で閉じようとしても、係止部と扉ストッパの係止により、扉はその開き角度で保持され、不用意に扉が閉じることは防止される。
【００１２】
【発明の実施の形態】
以下、本発明の実施の形態を図面に基づいて説明する。図１は蝶番の可動部材１の平面図と正面図を示し、図２はその左側面図を、図３はその右側面図を示している。可動部材１は、帯状の鋼板を断面略チャンネル状に曲折してなる縦長の基枠体２を有し、その基枠体２の内側の上部と下部に、軸受部３ａ，４ａを有する略コ字状の軸受部材３、４を、かしめ加工等により固定して構成される。
【００１３】
すなわち基枠体２には、図２に示すように、その上部と下部の内側に軸受部材３、４が固定され、軸受部材３、４は、同じ形状を持った略箱形に形成されて基枠体２内に固定され、その上板部分に設けた軸受部３ａ，４ａが設けられ、軸受部３ａ，４ａには軸受孔３ｂ，４ｂが穿設される。軸受孔３ｂ，４ｂは基枠体２の壁部に近い位置の軸受部３ａ，４ａ上に形成され、一方、基枠体２背面側には、図３に示すような矩形の開口部２ａが、後述の固定部材１１の軸保持部１３，１４を挿入するために設けられる。
【００１４】
また、軸受部材３，４の側壁部には、後述の軸保持部１３，１４をその中に差し入れた際、その軸保持部１３，１４を軸受孔３ｂ，４ｂに合わせてガイドするためのガイド部５，６が、その壁部を内側に折り曲げて設けられている。ガイド部５，６は傾斜面を有し、軸保持部１３，１４が軸受部材３，４内に挿入された際、その傾斜面で軸保持部１３，１４を摺動させながら、軸保持部のピン１３ｂ，１４ｂを軸受孔３ｂ、４ｂの軸線位置に合わせるようにガイドする。さらに、基枠体２の下部には、後述の扉ストッパ２１を係止するための係止部７が基枠体２の一部を矩形に切り欠いて凹状に形成されている。
【００１５】
図４、図５に示すように、固定部材１１は、縦長で帯状の鋼板を略Ｚ形に曲げた形状の取付板部１２を有し、取付板部１２の縁部の上部と下部に、同様の形状の軸保持部１３、１４が突設され、取付板部１２の適所に複数の取付孔が設けられる。軸保持部１３、１４は、図５に示すように、先端に巻付部１３ａ，１４ａを前方に突出するように設け、その巻付部１３ａ，１４ａにピン１３ｂ，１４ｂを各々上向きに嵌挿・固定して構成される。
【００１６】
巻付部１３ａ，１４ａは突設部分の先端を巻き付けるように筒状に成形され、内側に頭部付きのピン１３ｂ，１４ｂを巻付部に圧入し或は締付けすることにより、ピン１３ｂ，１４ｂが巻付部１３ａ，１４ａにその先端を上方に突出した状態で固定される。上下のピン１３ｂ，１４ｂは、その軸が取付板部１２の長手方向に沿った１本の軸線上を通るように、軸心位置を合わせて取り付けられる。ピン１３ｂ，１４ｂの先端（上端）は尖頭形状に形成される。また、上下のピン１３ｂ，１４ｂは、上記可動部材１の軸受部材３、４の軸受孔３ｂ、４ｂに対応した位置つまり軸心位置を合わせた所定位置に取り付けられる。
【００１７】
さらに、この固定部材１１の取付板部１２の中間部には、扉を開いた際、所定の開度で止めるための板ばね製の扉ストッパ２１がばね弾性をもって曲げ可能に取り付けられる。この扉ストッパ２１のストッパ本体２５は、ばね弾性を有する金属板を波形に曲折して形成され、その波形の凹部に、係止受け部２５ａ、２５ｂが上記可動部材1側の係止部７と係合可能に形成される。
【００１８】
この板ばね製のストッパ本体２５は、溶接、かしめ、リベット止めなどにより固定部材１１の取付板部１２の中間部に固定されている。扉ストッパ２１の元部側の係止受け部２５ａは、例えば前扉１９が約４０度の開度で係止部７が係止される位置に形成され、先端側の係止受け部２５ｂは、前扉１９が約６０度の開度で係止部７が係止される位置に形成される。また、ストッパ本体２５の先端は、内側に曲折され、扉を最大に開いた位置から、ストッパ本体２５が係止部７に摺動可能に当接できるようにしている。
【００１９】
この板ばね製のストッパ本体２５は、前扉１９の開放時、閉鎖時ともに、図１０に示すように、可動部材１側の基枠体２に設けた係止部７にばね力をもって付勢するように接触し、これによって、係止部７がばね弾性力をもって押圧されるように装着される。
【００２０】
このように構成された蝶番は、図７、図８に示すように、その固定部材１１が、スロットマシンなどの前面が傾斜したゲーム機の本体（キャビネット）１８側に、取付板部１２の取付孔に取付ねじを挿入して締め付けることにより固定される。また、その可動部材１がゲーム機の前扉１９側の固定部材１１と対応した位置に、その基枠体２を取付ねじにより締め付けて取り付けられる。図８に示すように、固定部材１１は、本体１８の開口部の縦辺の長さと略同じ長さに形成され、本体１８の内側縦辺の略全体にわって取り付けられる。また、可動部材１は前扉１９の内側縦辺の長さと略同じ長さに形成され、前扉１９の内側縦辺の縁部に取り付けられる。
【００２１】
そして図７に示す如く、前扉１９を開いた状態で、蝶番の可動部材１の上下の軸受部３ａ、４ａを固定部材１１の上下のピン１３ｂ，１４ｂに嵌合して、前扉１９を本体１８に対し装着する。この際、前扉１９を持って先ず上下の軸受部材３、４を固定部材１１側の軸保持部１３、１４に合わせ、軸受部材３、４内のガイド部５、６を、固定部材側の軸保持部１３、１４の巻付部１３ａ，１４ａに当てるように、箱形の軸受部材３、４を軸保持部１３、１４に被せるごとく、前扉１９を動かす。
【００２２】
このとき、上下のガイド部５、６が上下の巻付部１３ａ，１４ａに当り、さらに前扉１９を押し込むように動かすと、ガイド部５、６の傾斜ガイド面によって、巻付部１３ａ，１４ａつまりピン１３ｂ，１４ｂが軸受孔３ｂ，４ｂの軸線位置にガイドされ、到達する。従って、この状態で、前扉１９の位置を少し下げれば、自動的にピン１３ｂ，１４ｂが軸受孔３ｂ，４ｂ内に進入し嵌合する。これにより、上下の軸保持部１３、１４のピン１３ｂ，１４ｂは、軸受部材３、４の軸受孔３ｂ，４ｂに嵌入し、蝶番の可動部材１と固定部材１１の組付を完了する。
【００２３】
このとき、前扉１９は約９０度の開放状態であり、蝶番の固定部材１１側に取り付けた扉ストッパ２１は、図９に示すように、可動部材1側の基枠体２に設けた凹状の係止部７に入って係合状態となり、そのストッパ本体２５の係止受け部側が、係止部７の内側の縁部に接触した状態である。したがって、可動部材１の基枠体２の係止部７は、扉ストッパ２１のばね力により開放側に付勢された状態にあり、前扉１９は開放状態を保持し、自然に閉じることは防止される。
【００２４】
この状態で、前扉１９を持って閉じる方向に回動させると、前扉１９は、蝶番のピン１３ｂ、１４ｂを軸に回動し、可動部材１の基枠体２の係止部７の縁部は、扉ストッパ２１のストッパ本体２５を図９の右側にそのばね力に抗して押しながら回動し、係止部７がストッパ本体２５の係止受け部２５ａに嵌合した位置で、扉の回動は一旦停止する。これは、係止受け部２５ａが凹状に形成され、係止部７の縁部が一旦その凹状の係止受け部２５ａに嵌合した後は、係止受け部２５ａの次の山（突部）を乗り越える必要があり、係止受け部２５ａの次の山（突部）が抵抗となるためである。したがって、前扉１９はその位置で安定して停止し、その停止角度は係止受け部２５ａの位置により決まるから、係止受け部２５ａの位置を調整すれば、任意の角度で前扉１９を一旦停止させることができる。
【００２５】
さらに、前扉１９を持って閉じる方向に回動させると、係止部７の縁部が係止受け部２５ａの次の山を乗り越え、次の係止受け部２５ｂに係止部７の縁部が嵌合した状態で、図１０に示すように、前扉１９は再び一旦停止する。そして、さらに前扉１９を持って閉じる方向に回動させると、係止部７の縁部が係止受け部２５ｂの次の山を乗り越えて回動し、図１１のように、前扉１９は本体１８に対し閉鎖される。
【００２６】
このように、前扉１９が閉じられるとき、板ばね製の扉ストッパ２１が可動部材１の基枠体２の係止部７の縁部を常時押して付勢しているから、前扉１９の回動に適度な摩擦抵抗が生じ、適度な抵抗をもって緩やかに閉じることができ、且つ係止受け部２５ａ、２５ｂとの係合により調整された角度で前扉１９を一旦停止させることができる。
【００２７】
一方、前扉１９を本体１８から開く方向に回動させると、扉ストッパ２１のストッパ本体２５は、可動部材１側の係止部７に押されて、ばね弾性により弾性変形しながら、可動部材１は扉ストッパ２１の付勢力に抗して回動していく。そして、上述のように、可動部材１側の係止部７がストッパ本体２５の凹状の係止受け部２５ａに係合すると、その回動前後における抵抗の増加により安定状態となり、前扉１９はその位置で一旦停止する。このとき、前扉１９にはその蝶番の回動軸が鉛直軸に対し傾斜しており、重力により閉鎖する方向に力がかかっているが、係止部７が扉ストッパ２１の係止受け部２５ａに係止されるから、その閉鎖方向への回動は阻止され、前扉１９はその開度状態で安定して静止することになる。
【００２８】
このように、蝶番の可動部材１には係止部７が設けられ、固定部材１１には係止部７に係止可能な係止受け部２５ａ，２５ｂを持った扉ストッパ２１が揺動可能に設けられるから、前扉１９は、係止部７を扉ストッパ２１の係止受け部２５ａ，２５ｂに係止させることにより、予め設定した複数の開度で、静止させることができ、スロットマシンのように、前面が鉛直面に対し傾斜し、前扉の蝶番の軸が鉛直軸に対し傾斜している場合であって、前扉を開いたとき、自然に閉じてしまう場合であっても、所定の開度で前扉を静止させることができ、ゲーム機の修理や点検作業を、前扉を開いた状態で、安全に行うことができる。
【００２９】
なお、上記係止部７は、基枠体２の一部を凹状に切り欠いて形成したが、基枠体２の一部に扉ストッパ２１が進入して係止可能な長孔状の開口部として形成することもできる。
【００３０】
図１２〜図１４は他の実施形態の蝶番を示している。この例では、扉ストッパ４１が上記可動部材１に固定され、その扉ストッパ４と係合する係止部７７が固定部材１１の取付板部１２に形成される。上記実施形態と同様の部分については、上記同じ符号を図１２〜図１４に付してその説明を省略する。
【００３１】
図１２に示すように、扉ストッパ４１は、可動部材１の基枠体２の背面側に略くの字状に曲折して固定されている。この扉ストッパ４１のストッパ本体４５は、ばね弾性を有する金属板を波形に曲折すると共に略くの字状に曲折して形成され、その波形の凹部に、係止受け部４５ａが固定部材１１側の係止部７７と係合可能に形成される。
【００３２】
この板ばね製のストッパ本体４５は、上記と同様に、溶接、かしめ、リベット止めなどにより可動部材１の基枠体２の中間部背面側に固定され、扉ストッパ４１の元部側の係止受け部４５ａは、例えば前扉１９が約６０度の開度で係止部７が係止される位置に形成され、その先端も内側に曲折され、扉を最大に開いた位置から、ストッパ本体４５が係止部７７に摺動可能に当接できるようにしている。
【００３３】
この板ばね製のストッパ本体４５は、前扉１９の開放時、閉鎖時ともに、図１４に示すように、固定部材１１の取付板部１２の一部に設けた係止部７７にばね力をもって付勢するように接触し、係止部７がばね弾性力で押圧されるように装着される。固定部材１１の取付板部１２に設けた係止部７７は、上記図２の基枠体に切り欠いて設けた係止部７とは異なり、単に取付板部１２の一部をそのまま係止部７７として利用している。
【００３４】
このような扉ストッパ４１を設けた可動部材１を取り付けた前扉１９は、固定部材１１を固定したゲーム機の本体１８に対し、その可動部材１の軸受部３ａ、４ａを固定部材１１側のピン１３ｂ、１４ｂに嵌合させて、蝶番は組み付けられ、前扉１９が開閉可能に装着される。蝶番の組み付け操作は、前扉１９の開放状態で行われ、蝶番の可動部材１側に取り付けた扉ストッパ４１は、固定部材１１側の取付板部１２の一部に設けた係止部７７と係合し、そのストッパ本体４５の係止受け部側が、係止部７７に接触した状態となる。したがって、固定部材１１の係止部７７は、扉ストッパ４１のばね力により開放側に付勢された状態にあり、前扉１９は開放状態を保持し、自然に閉じることは防止される。
【００３５】
この状態で、前扉１９を持って閉じる方向に回動させると、前扉１９は、蝶番のピン１３ｂ、１４ｂを軸に回動し、扉ストッパ４１のストッパ本体４５は固定部材１１の係止部７７をそのばね力で押しながら回動し、図１４に示すように、ストッパ本体４５の係止受け部４５ａが係止部７７に嵌合した状態で、摩擦抵抗が増大し、扉の回動は一旦停止する。さらに、前扉１９を閉じる方向に押すと、係止受け部４５ａの次の山を係止部７７が乗り越えるように前扉１９が回動し、このとき、板ばね製の扉ストッパ４１が固定部材１１の係止部７７を常時押して付勢しているから、前扉１９の回動に適度な摩擦抵抗が生じ、適度な抵抗をもって緩やかに閉じることができる。
【００３６】
前扉１９の開き度を一旦停止させる開放角度は、上記のように、係止部７７と係止受け部とが係合する角度を調整することにより、予め決めた任意の角度で前扉１９を一旦停止させることができる。
【００３７】
なお、本発明の蝶番は、上記実施形態に限定されるものではなく、以下のような態様でも実施することができ、例えば、上記では可動部材１側に軸受孔３ｂ，４ｂを有する軸受部材３、４を設け、固定部材１１側にピン１３ｂ，１４ｂを有する軸保持部１３、１４を設けたが、逆に、固定部材側に軸受孔を有する軸受部材を固定し、可動部材側にピンを有する軸保持部を固定してもよく、その場合、可動部材側のピンは下向きに取り付けられる。
【００３８】
【発明の効果】
以上のように、本発明の蝶番によれば、第一部材または第二部材の何れか一方に扉ストッパが弾性変形可能に取り付けられ、扉ストッパと係合して扉を任意の開度で保持する係止部が、他方の第二部材または第一部材の対向位置に設けられるから、別個に扉を止めるための扉用ストッパなどを取り付けなくても、第一部材または第二部材としての扉を、第二部材または第一部材としての本体に対し、予め設定した任意の開度で止めることができる。したがって、スロットマシンの前扉のように、その回動軸が鉛直軸に対し傾斜し、前扉が重力で自然に閉じる状態であっても、前扉を止めて安全に修理や点検作業を行うことができる。
【００３９】
また、請求項２のように、扉ストッパは、ばね弾性を有する金属板を波形に曲折してストッパ本体を形成し、係止受け部は、ストッパ本体上の係止部の摺動方向に複数個設けることにより、扉を予め設定した複数の任意の角度で静止させることができる。
【図面の簡単な説明】
【図１】本発明の蝶番の一実施形態を示し、（ａ）は蝶番の可動部材１の平面図、（ｂ）はその正面図である。
【図２】可動部材１の左側面図である。
【図３】可動部材の背面図である。
【図４】（ａ）は蝶番の固定部材１１の正面図、（ｂ）はその平面図である。
【図５】固定部材１１の右側面図である。
【図６】可動部材と固定部材の組み付け時の部分右側面図である。
【図７】可動部材と固定部材の組み付け時の拡大部分斜視図である。
【図８】ゲーム機に取り付けた状態の左側面図である。
【図９】前扉を開いた状態における蝶番の扉ストッパ近傍の平面図である。
【図１０】前扉を約４０度開いた状態における蝶番の扉ストッパ近傍の平面図である。
【図１１】前扉を閉じた状態における蝶番の扉ストッパ近傍の平面図である。
【図１２】他の実施形態の蝶番を示し、（ａ）は蝶番の可動部材１の平面図、（ｂ）はその正面図である。
【図１３】他の実施形態の固定部材１１の右側面図である。
【図１４】他の実施形態の前扉を約４０度開いた状態における蝶番の扉ストッパ近傍の平面図である。
【符号の説明】
１−可動部材
２−基枠体
３、４−軸受部材
３ａ，４ａ−軸受部
３ｂ，４ｂ−軸受孔
５、６−ガイド部
７−係止部
１１−固定部材
１２−取付板部
１３、１４−軸保持部
１３ａ，１４ａ−巻付部
１３ｂ，１４ｂ−ピン
２１−扉ストッパ
２５−ストッパ本体
２５ａ，２５ｂ−係止受け部
【図１】
0003755083.tif 000002
【図２】
0003755083.tif 000003
【図３】
0003755083.tif 000004
【図４】
0003755083.tif 000005
【図５】
0003755083.tif 000006
【図６】
0003755083.tif 000007
【図７】
0003755083.tif 000008
【図８】
0003755083.tif 000009
【図９】
0003755083.tif 000010
【図１０】
0003755083.tif 000011
【図１１】
0003755083.tif 000012
【図１２】
0003755083.tif 000013
【図１３】
0003755083.tif 000014
【図１４】
0003755083.tif 000015